(57)【要約】【課題】狭いスペースから装置全体を取り出すことなく良好な作業性で原稿をセットし、利用する。【解決手段】複合機１のスキャナ部２は、原稿ＭＳに記録された画像を読み取るＣＩＳユニットと、原稿ＭＳをＣＩＳユニットへ搬送する分離ローラ３１等を備えたＡＤＦ本体２７、及び、分離ローラ３１等により搬送される原稿ＭＳがセットされるとともに、前後方向に沿ってＡＤＦ本体２７から引き出し可能に構成された給紙トレイ２２、を備えたＡＤＦ５と、を有する。また、ＡＤＦ５は、給紙トレイ２２を備えるとともに、前後方向に沿ってＡＤＦ本体２７から引き出し可能に構成されたトレイユニット１０を有する。【選択図】図２
2012074831.tif 000002
【特許請求の範囲】
【請求項１】
原稿に記録された画像を読み取る画像読取手段と、
前記原稿を前記画像読取手段へ搬送する搬送手段を備えた原稿搬送部本体、及び、前記搬送手段により搬送される前記原稿がセットされるとともに、前記搬送手段による原稿の搬送方向と交差する交差方向に沿って前記原稿搬送部本体から引き出し可能に構成された給紙トレイ、を備えた原稿搬送部と、
を有することを特徴とする画像読取装置。
【請求項２】
請求項１記載の画像読取装置において、
前記原稿搬送部は、
前記給紙トレイを備えるとともに、前記交差方向に沿って前記原稿搬送部本体から引き出し可能に構成されたトレイユニットを有する
ことを特徴とする画像読取装置。
【請求項３】
請求項２記載の画像読取装置において、
前記トレイユニットは、
前記交差方向に沿った手前側に、ユーザが把持可能な取手を備える
ことを特徴とする画像読取装置。
【請求項４】
請求項２又は請求項３記載の画像読取装置において、
前記トレイユニットは、
前記給紙トレイの上部に配置されるとともに、前記搬送手段により搬送されるためにセットされる前記原稿の幅方向の両端部をガイドするサイドガイドと、
前記サイドガイドと一体的に設けられるとともに、前記搬送手段により搬送され前記画像読取手段によって前記画像が読み取られた原稿が排出される排紙トレイと、
を備えていることを特徴とする画像読取装置。
【請求項５】
請求項２乃至請求項４のいずれか１項記載の画像読取装置において、
前記トレイユニットを、前記交差方向に沿って引き出し可能とするための引き出し機構を有する
ことを特徴とする画像読取装置。
【請求項６】
請求項５記載の画像読取装置において、
前記引き出し機構は、
前記原稿搬送部本体と一体的に構成され、前記トレイユニットの下方に位置するベース部と、
前記ベース部に設けられ、前記トレイユニットの前記交差方向に沿った引き出し動作を許容するベース側凹部又はベース側凸部と、
前記トレイユニットに設けられ、当該トレイユニットの前記交差方向に沿った引き出し動作を許容するように、前記ベース側凹部に係合するユニット側凸部、又は、前記ベース側凸部に係合するユニット側凹部、と、
を有することを特徴とする画像読取装置。
【請求項７】
請求項５又は請求項６記載の画像読取装置において、
前記搬送手段は、
前記原稿の搬送経路の上流側部分に上下動可能に設けられ、前記給紙トレイにセットされている前記原稿を一枚ずつ搬送する搬送ローラを含み、
前記トレイユニットは、
前記引き出し機構による引き出し動作に連動して、前記搬送ローラを上昇可能な上昇手段を備える
ことを特徴とする画像読取装置。
【請求項８】
請求項７記載の画像読取装置において、
前記上昇手段は、
前記トレイユニットが引き出されない状態では前記搬送ローラを通常位置とし、前記トレイユニットが所定量引き出された状態では前記搬送ローラを上昇位置に上昇させ、その後、少なくとも前記トレイユニットが最大に引き出された状態では前記搬送ローラを前記通常位置に復帰させるように、構成されている
ことを特徴とする画像読取装置。
【請求項９】
請求項８記載の画像読取装置において、
前記上昇手段は、
前記給紙トレイの前記サイドガイドよりも搬送方向下流側において前記交差方向に沿って延設され、前記搬送ローラの支持部材に接触し前記搬送ローラを上下動するように案内するリブである
ことを特徴とする画像読取装置。
【請求項１０】
請求項８又は請求項９記載の画像読取装置において、
前記トレイユニットは、
前記給紙トレイにセットされた原稿の搬送方向の先端部を位置決め可能に構成されるとともに、前記位置決め機能を果たす第１姿勢と前記位置決め機能を果たさない第２姿勢とに俯仰動可能に構成された先端ガイドを有し、
前記引き出し機構は、
前記トレイユニットが引き出されない状態では前記先端ガイドを前記第２姿勢とし、前記トレイユニットの引き出し動作に連動して、少なくとも前記トレイユニットが最大に引き出された状態では前記先端ガイドを前記第１姿勢とする、ガイド駆動手段を備える
ことを特徴とする画像読取装置。
【請求項１１】
請求項１０記載の画像読取装置において、
前記ガイド駆動手段は、
前記先端ガイドに対し、前記第１姿勢となる向きへの付勢力を作用させるバネと、
前記原稿搬送部本体側に前記交差方向に沿って延設され、前記トレイユニットが引き出されない状態では前記トレイユニット内に進入して前記付勢力に打ち勝つ押圧力を前記先端ガイドに作用させ前記第２姿勢とするとともに、前記トレイユニットの引き出し動作に連動して少なくとも前記トレイユニットが最大に引き出された状態では前記トレイユニットから離脱して前記押圧力の作用を消失させる、ユニット進入部材と、
を有することを特徴とする画像読取装置。
【発明の詳細な説明】
【技術分野】
【０００１】
本発明は、原稿に記録された画像の読み取りを行う画像読取装置に関する。
【背景技術】
【０００２】
原稿に記録された画像の読み取りを行う画像読取装置として、例えば特許文献１に記載の従来技術がある。この従来技術の複合機は、画像読取装置としてのスキャナ部を備えている。このスキャナ部の原稿押さえカバーには、原稿搬送部としてのＡｕｔｏ  Ｄｏｃｕｍｅｎｔｏ  Ｆｅｅｄｅｒ（ＡＤＦ）が備えられていると共に、給紙トレイ及び排紙トレイが設けられている。ＡＤＦの内部に形成された所定の搬送路には、搬送手段としての、吸入ローラ、吸入ニップ片、分離ローラ、分離ニップ片、搬送ローラ、及びピンチローラが配設されている。
【先行技術文献】
【特許文献】
【０００３】
【特許文献１】特開２００６−３１１１７５号公報
【発明の概要】
【発明が解決しようとする課題】
【０００４】
例えば、ユーザによっては、上記従来技術のように画像読取装置を搭載した装置、又は、画像読取装置自体を、原稿の搬送方向、具体的には、ＡＤＦにより給紙トレイから原稿が引き込まれる方向に沿った寸法が小さい狭いスペースに置いて使用する場合があり得る。このような場合、上記搬送方向に沿って原稿を給紙トレイへセットすることは困難であり、ユーザが当該狭いスペースから装置全体を取り出して原稿をセットする必要があるため、良好な作業性を得ることは困難であった。上記従来技術においても、上記のような狭いスペースに装置が置かれている状況において、当該狭いスペースから装置全体を取り出すことなく、良好な作業性で原稿をセットして利用することについては、特に考慮されていなかった。
【０００５】
本発明の目的は、狭いスペースから装置全体を取り出すことなく良好な作業性で原稿をセットし、利用することができる画像読取装置を提供することにある。
【課題を解決するための手段】
【０００６】
上記目的を達成するために、第１の発明は、原稿に記録された画像を読み取る画像読取手段と、前記原稿を前記画像読取手段へ搬送する搬送手段を備えた原稿搬送部本体、及び、前記搬送手段により搬送される前記原稿がセットされるとともに、前記搬送手段による原稿の搬送方向と交差する交差方向に沿って前記原稿搬送部本体から引き出し可能に構成された給紙トレイ、を備えた原稿搬送部と、を有することを特徴とする。
【０００７】
本願第１発明においては、原稿が、給紙トレイにセットされると、原稿搬送部本体の搬送手段によって搬送される。搬送された原稿は、画像読取手段によって画像が読み取られる。
【０００８】
ここで、ユーザによっては、例えば、上記搬送方向に沿った寸法が小さい狭いスペースに装置を置いて使用する場合があり得る。この場合、上記搬送方向に沿って原稿を給紙トレイへセットすることは難しい。そこで、本願第１発明では、給紙トレイを、原稿搬送部本体より上記搬送方向と交差する方向に引き出し可能に構成する。これにより、原稿をセットするときには、ユーザは、給紙トレイを原稿搬送部本体から引き出し方向手前側に引き出すことで、給紙トレイに原稿を容易にセットすることができる。このようにしてセットした後はユーザが給紙トレイを逆方向に原稿搬送部本体へと押し戻し、もとの位置に復帰させることで、上記の原稿搬送部本体による搬送、及び、原稿読取手段による画像読取が実行される。
【０００９】
したがって、上記のような狭いスペースに装置が置かれている状況であっても、ユーザは、当該狭いスペースから装置全体を取り出すことなく良好な作業性で原稿をセットし、利用することができる。
【００１０】
第２の発明は、上記第１発明において、前記原稿搬送部は、前記給紙トレイを備えるとともに、前記交差方向に沿って前記原稿搬送部本体から引き出し可能に構成されたトレイユニットを有することを特徴とする。
【００１１】
本願第２発明においては、給紙トレイを備えたトレイユニットを、原稿搬送部本体より上記搬送方向と交差する方向に引き出し可能に構成する。これにより、原稿をセットするときには、ユーザは、トレイユニットを原稿搬送部本体から引き出し方向手前側に引き出すことで、トレイユニットの給紙トレイに原稿を容易にセットすることができる。
【００１２】
第３の発明は、上記第２発明において、前記トレイユニットは、前記交差方向に沿った手前側に、ユーザが把持可能な取手を備えることを特徴とする。
【００１３】
これにより、給紙トレイを備えたトレイユニットの引き出し作業が行いやすくなる。
【００１４】
第４の発明は、上記第２又は第３発明において、前記トレイユニットは、前記給紙トレイの上部に配置されるとともに、前記搬送手段により搬送されるためにセットされる前記原稿の幅方向の両端部をガイドするサイドガイドと、前記サイドガイドと一体的に設けられるとともに、前記搬送手段により搬送され前記画像読取手段によって前記画像が読み取られた原稿が排出される排紙トレイと、を備えていることを特徴とする。
【００１５】
画像読取装置が、給紙トレイが排紙トレイよりも下側に設けられ給紙トレイから上方の排紙トレイへと原稿が搬送される構造を備えている場合、当該装置が上記のような狭いスペースに配置されると、特に原稿の給紙トレイへのセットが困難である。したがって、このような構造において、上記引き出し可能なトレイユニットを設けることが特に効果的である。
【００１６】
第５の発明は、上記第２乃至第４発明のいずれかにおいて、前記トレイユニットを、前記交差方向に沿って引き出し可能とするための引き出し機構を有することを特徴とする。
【００１７】
これにより、原稿搬送部本体からのトレイユニットの引き出し動作を円滑に実行することができる。
【００１８】
第６の発明は、上記第５発明において、前記引き出し機構は、前記原稿搬送部本体と一体的に構成され、前記トレイユニットの下方に位置するベース部と、前記ベース部に設けられ、前記トレイユニットの前記交差方向に沿った引き出し動作を許容するベース側凹部又はベース側凸部と、前記トレイユニットに設けられ、当該トレイユニットの前記交差方向に沿った引き出し動作を許容するように、前記ベース側凹部に係合するユニット側凸部、又は、前記ベース側凸部に係合するユニット側凹部、と、を有することを特徴とする。
【００１９】
これにより、ベース部の凹部とトレイユニットの凸部との係合、又は、ベース部の凸部とトレイユニットの凹部との係合、を利用して、簡易な構造で引き出し機構を実現することができる。
【００２０】
第７の発明は、上記第５又は第６発明において、前記搬送手段は、前記原稿の搬送経路の上流側部分に上下動可能に設けられ、前記給紙トレイにセットされている前記原稿を一枚ずつ搬送する搬送ローラを含み、前記トレイユニットは、前記引き出し機構による引き出し動作に連動して、前記搬送ローラを上昇可能な上昇手段を備えることを特徴とする。
【００２１】
トレイユニットを原稿搬送部本体から引き出す際、原稿搬送部本体の搬送経路に備えられた搬送ローラが給紙トレイの一部と接触し、引き出しの妨げになる可能性がある。そこで、本願第７発明においては、引き出し機構を介したトレイユニットの引き出し動作に連動させて、上昇手段が搬送ローラを上昇させる。これにより、引き出し動作時の上記搬送ローラとの接触を回避可能となるので、トレイユニットをスムーズに引き出すことができる。
【００２２】
第８の発明は、上記第７発明において、前記上昇手段は、前記トレイユニットが引き出されない状態では前記搬送ローラを通常位置とし、前記トレイユニットが所定量引き出された状態では前記搬送ローラを上昇位置に上昇させ、その後、少なくとも前記トレイユニットが最大に引き出された状態では前記搬送ローラを前記通常位置に復帰させるように、構成されていることを特徴とする。
【００２３】
これにより、引き出し動作の途中での搬送ローラと給紙トレイとの接触の可能性があるときのみ、最小限、搬送ローラを上昇させることができる。
【００２４】
第９の発明は、上記第８発明において、前記上昇手段は、前記給紙トレイの前記サイドガイドよりも搬送方向下流側において前記交差方向に沿って延設され、前記搬送ローラの支持部材に接触し前記搬送ローラを上下動するように案内するリブであることを特徴とする。
【００２５】
リブを設けるという簡易な構成により搬送ローラを確実に上下動させ、給紙トレイとの接触を回避することができる。
【００２６】
第１０の発明は、上記第８又は第９発明において、前記トレイユニットは、
前記給紙トレイにセットされた原稿の搬送方向の先端部を位置決め可能に構成されるとともに、前記位置決め機能を果たす第１姿勢と前記位置決め機能を果たさない第２姿勢とに俯仰動可能に構成された先端ガイドを有し、前記引き出し機構は、前記トレイユニットが引き出されない状態では前記先端ガイドを前記第２姿勢とし、前記トレイユニットの引き出し動作に連動して、少なくとも前記トレイユニットが最大に引き出された状態では前記先端ガイドを前記第１姿勢とする、ガイド駆動手段を備えることを特徴とする。
【００２７】
本願第１０発明においては、トレイユニットに先端ガイドを設けている。これにより、トレイユニットを引き出して給紙トレイに原稿をセットする際、そのセットされた原稿の搬送方向の先端部を位置決めすることができる。但し、このようにしてトレイユニットに先端ガイドを設けると、搬送手段による原稿の搬送の際、先端ガイドが原稿の搬送の妨げになる可能性がある。
【００２８】
そこで、本願第１０発明においては、先端ガイドを俯仰動可能に構成する。そして、引き出し機構に設けたガイド駆動手段により、トレイユニットが引き出されない状態では先端ガイドを第２姿勢として位置決め機能を果たさない状態とし、上記原稿の搬送の妨げとなることの防止を図る。そして、ガイド駆動手段は、トレイユニットの引き出し動作に連動しつつ、トレイユニットが最大に引き出された状態では先端ガイドを第１姿勢として、位置決め機能を実行させる。
【００２９】
以上のようにして、引き出されない状態時の原稿の搬送の妨げとなることを回避しつつ、トレイユニットの引き出し状態で先端ガイドによる原稿の位置決めを確実に実行することができる。
【００３０】
第１１の発明は、上記第１０発明において、前記ガイド駆動手段は、前記先端ガイドに対し、前記第１姿勢となる向きへの付勢力を作用させるバネと、前記原稿搬送部本体側に前記交差方向に沿って延設され、前記トレイユニットが引き出されない状態では前記トレイユニット内に進入して前記付勢力に打ち勝つ押圧力を前記先端ガイドに作用させ前記第２姿勢とするとともに、前記トレイユニットの引き出し動作に連動して少なくとも前記トレイユニットが最大に引き出された状態では前記トレイユニットから離脱して前記押圧力の作用を消失させる、ユニット進入部材と、を有することを特徴とする。
【００３１】
これにより、トレイユニットが引き出されない状態ではトレイユニットにユニット進入部材が進入して強い押圧力を作用させて先端ガイドを第２姿勢とし、上記原稿の搬送の妨げとなることの防止を確実に図ることができる。そして、トレイユニットが最大に引き出された状態では、ユニット進入部材がトレイユニットから離脱して先端ガイドをバネの付勢力により第１姿勢に復帰させ、位置決め機能を確実に実行させることができる。
【発明の効果】
【００３２】
本発明によれば、狭いスペースから装置全体を取り出すことなく良好な作業性で原稿をセットし、利用することができる。
【図面の簡単な説明】
【００３３】
【図１】トレイユニットがＡＤＦ本体から引き出されていない状態での、本発明の一実施の形態に係る画像読取装置を備えた複合機の外観概略構成を表す斜視図である。
【図２】トレイユニットがＡＤＦ本体から所定量引き出された状態での、複合機の外観概略構成を表す斜視図である。
【図３】図１中のＩＩＩ−ＩＩＩ断面による縦断面図である。
【図４】図２中のＩＶ−ＩＶ断面による縦断面図である。
【図５】図１中のＶ−Ｖ断面による横断面図である。
【図６】図２中のＶＩ−ＶＩ断面による横断面図である。
【図７】トレイユニットがＡＤＦ本体から引き出されていない状態での、フロントガイドの姿勢を表す説明図である。
【図８】トレイユニットがＡＤＦ本体から最大に引き出された状態での、フロントガイドの姿勢を説明する説明図である。
【発明を実施するための形態】
【００３４】
以下、本発明の一実施の形態を図面を参照しつつ説明する。なお、以下の各図内に「前」「後」「左」「右」「上」「下」の注記がある場合は、明細書中内の説明における、前方、後方、左方、右方、上方、下方とは、その注記された方向を指す。
【００３５】
図１乃至図８に示すように、本実施形態に係る画像読取装置を備えた複合機１は、原稿ＭＳに記録された画像を読み取るスキャナ機能、記録用紙に画像を記録するプリンタ機能、画像データを電送するファクシミリ機能の３つの機能を一体的に備えた多機能装置（Ｍｕｌｔｉ  Ｆｕｎｃｔｉｏｎ  Ｄｅｖｉｃｅ：ＭＤＦ）である。この複合機１は、図１及び図２に示すように、概略的に幅の広い薄型の略直方体形状を備えており、上部に画像読取装置としてのスキャナ部２を、下部にプリンタ部３を一体的に備えている。
【００３６】
スキャナ部２は、複合機１の筐体として構成された原稿載置台４と、この原稿載置台４に対して蝶番（図示せず）を介し開閉自在に取り付けられた原稿押さえカバー６とを有している。
【００３７】
原稿載置台４には、その前方側に、Ｌｉｑｕｉｄ  Ｃｒｙｓｔａｋ  Ｄｉｓｐｌａｙ（ＬＣＤ）８５や各種操作ボタン（図示せず）から構成される操作パネル７が設けられている。複合機１は、この操作パネル７からの指示によって動作する。また、複合機１は、例えば有線又は無線のＬｏｃａｌ  Ａｒｅａ  Ｎｅｔｗｏｒｋ（ＬＡＮ）等を介し接続されたコンピュータにインストールされたプリンタドライバやスキャナドライバ等を介し出力される指示によっても動作する。
【００３８】
また、原稿載置台４の、上記原稿押さえカバー６と対向する天面には、スキャナ部２をＦｌａｔｂｅｄ  Ｓｃａｎｎｅｒ（ＦＢＳ）として使用する場合に原稿ＭＳがセットされる、透明なガラス板からなるプラテンガラス（図示せず）が配設されている。スキャナ部２においては、原稿押さえカバー６が開かれることにより、プラテンガラスが原稿載置台４の上面として露出され、原稿押さえカバー６が閉じられることにより、プラテンガラスを含めて原稿載置台４の上面全体が覆われる。また、原稿載置台４の内部には、上記プラテンガラスと対向するようにして、原稿ＭＳに記録された画像を読み取る、画像読取手段としてのＣｏｎｔａｃｔ  Ｉｍａｇｅ  Ｓｅｎｓｏｒ（ＣＩＳ）ユニット（図示せず）を備えた画像読取ユニット（図示せず）が、配設されている。
【００３９】
一方、原稿押さえカバー６には、図１及び図２に示すように、原稿搬送部としてのＡｕｔｏ  Ｄｏｃｕｍｅｎｔｏ  Ｆｅｅｄｅｒ（ＡＤＦ）５が設けられている。このＡＤＦ５は、図１及び図２に示すように、原稿押さえカバー６と一体的に形成された原稿搬送部本体としてのＡＤＦ本体２７と、このＡＤＦ本体２７から、所定の引き出し方向である、後述の分離ローラ３１等による原稿ＭＳの搬送方向（具体的には、後述の給紙方向である左方向）と交差する方向、この例では前後方向に沿って引き出し可能に構成されたトレイユニット１０とを有している。
【００４０】
ＡＤＦ本体２７の内部には、図３及び図４に示すように、トレイユニット１０の給紙トレイ２２（後述）及び排紙トレイ２３（後述）を連結するようにして、原稿ＭＳの搬送経路２６（矢印ア、イ、ウを参照）が形成されている。また、ＡＤＦ本体２７の内部には、図１乃至図６に示すように、原稿ＭＳをガイドするガイド部材３０が設けられている。ガイド部材３０には、図３乃至図６に示すように、その前後方向に沿った略中央部の、上記搬送経路２６の上流側部分に、上方に凹んだ凹部３０Ａが形成されている。この凹部３０Ａには、図示しないバネ部材により下方へ弾性付勢されると共に、前後方向に沿った所定の軸心ＡＸ２を中心に上下方向に揺動可能な、搬送ローラの支持部材としての揺動部材７４が、配設されている。
【００４１】
揺動部材７４には、図３乃至図６に示すように、前後方向に沿った所定の軸心ＡＸ３を中心に回転可能な、搬送ローラとしての分離ローラ３１が、そのローラ面の一部を上記凹部３０Ａから露出するようにして、この例では２つ取り付けられている。分離ローラ３１は、搬送モータ（図示せず）からの駆動力が伝達されることによって回転駆動され、トレイユニット１０の給紙トレイ２２（後述）にセットされている原稿ＭＳを軸心ＡＸ３と交差する方向に沿って１枚ずつ搬送する。また、分離ローラ３１は、上記揺動部材７４が上下動した場合に、これに従動して上下動するように構成されている（詳細は後述）。
【００４２】
また、特に図示はしていないが、上記搬送経路２６には、その上流側部分に設けられた上記２つの分離ローラ３１の他にも、トレイユニット１０の給紙トレイ２２（後述）にセットされた原稿ＭＳを上記ＣＩＳユニットへ搬送するローラやニップ片が、複数個配設されている。なお、上記２つの分離ローラ３１、及び、搬送経路２６に配設された図示しない各ローラや各ニップ片（以下適宜、これらを総称して「分離ローラ３１等」と称する）が、各請求項記載の搬送手段に相当する。給紙トレイ２２にセットされた原稿は、分離ローラ３１等によって、当該分離ローラ３１等の軸方向である前後方向と交差する方向に搬送される。なお、分離ローラ３１等によって原稿ＭＳが搬送される、前後方向と交差する方向は、搬送手段による原稿の搬送方向に相当する。すなわち、トレイユニット１０の引き出し方向である前後方向は、搬送方向と交差する交差方向の一例に相当する。なお、トレイユニット１０の引き出し方向、すなわち交差方向は、前後方向に限られない（詳細は後述）。
【００４３】
また、原稿押さえカバー６には、図１乃至図６に示すように、上記トレイユニット１０の下方に位置し、上記ＡＤＦ本体２７と一体的に構成されたベース部１２が設けられている。ベース部１２には、図１、図３、及び図４に示すように、下方に凹んだ前面視で倒立台形状の、ベース側凹部としての凹部１３が設けられている。この凹部１３は、トレイユニット１０の前後方向に沿った引き出し動作を許容するための横向きの四角柱状の凹部である。
【００４４】
一方、トレイユニット１０には、図１乃至図４及び図６乃至図８に示すように、下方に突出した前面視で倒立台形状の、ユニット側凸部としての凸部１４が設けられている。この凸部１４は、トレイユニット１０の前後方向に沿った引き出し動作を許容するための横向きの四角柱状の凸部であり、その左面１４ａ側に、前後方向に沿って形成されたスリット７３を備えている。また、この凸部１４は、上記引き出し動作を許容するように、上記ベース部１２の凹部１３に係合する（図１、図３、及び図４を参照）。すなわち、トレイユニット１０の凸部１４と、上記ベース部１２の凹部１３とは、互いに係合する構造となっている。このような構造となっていることにより、トレイユニット１０を、ＡＤＦ本体２７から前後方向に沿って引き出す又は押し込むことができ、左右方向に位置決めがなされるのである。したがって、ベース部１２、このベース部１２の凹部１３、及び、トレイユニット１０の凸部１４は、トレイユニット１０を、前後方向に沿って引き出し可能とするための機構、すなわち各請求項記載の引き出し機構の一部に相当する。
【００４５】
また、トレイユニット１０は、図７及び図８に示すように、給紙トレイ２２と、ユーザが把持可能な取手１１と、一対のサイドガイド２４，２４と、一対の排紙トレイ２３，２３と、リブであるローラリフター１５と、一対の、先端ガイドとしてのフロントガイド１６，１６とを備えている。
【００４６】
給紙トレイ２２には、図１乃至図８に示すように、上記ＡＤＦ本体２７の内部の分離ローラ３１等により搬送される原稿ＭＳがセットされる。この例では、原稿ＭＳの幅方向が、前後方向に沿うようにセットされる。すなわち、この給紙トレイ２２には、ＡＤＦ本体２７を使用して搬送及び画像の読み取りを行う場合に原稿ＭＳがセットされる。
【００４７】
取手１１は、図１、図２、図７、及び図８に示すように、トレイユニット１０の前方側（交差方向に沿った手前側に相当）に、配設されている。
【００４８】
一対のサイドガイド２４は、図１、図２、図７、及び図８に示すように、上記給紙トレイ２２の上部に、前後方向に隔てるように対向して配置されている。これら一対のサイドガイド２４は、互いに協働して、上記分離ローラ３１等により搬送されるために給紙トレイ２２にセットされる原稿ＭＳの幅方向の両端部、すなわち前端部及び後端部をガイドする。
【００４９】
また、一対のサイドガイド２４は、この例では、前後方向に沿ってスライド移動可能に構成されている。具体的には、これら一対のサイドガイド２４は、周知の連動機構により、いずれか一方のサイドガイド２４をスライド移動させると、他方のサイドガイド２４も相反する方向にスライド移動するように構成されている。すなわち、原稿ＭＳのサイズ（幅）に応じて、一対のサイドガイド２４を互いに近づく方向、あるいは離れる方向にスライド移動させることにより、位置を調節することができる。
【００５０】
一対の排紙トレイ２３は、図１、図２、図７、及び図８に示すように、上記給紙トレイ２２の上方に位置するようにして、上記一対のサイドガイド２４と一体的に設けられている。この排紙トレイ２３には、上記分離ローラ３１等により上記搬送経路２６に沿って搬送され、上記ＣＩＳユニットによって画像が読み取られた原稿ＭＳが排出される。すなわち、本実施形態における複合機１のスキャナ部２は、排紙トレイ２３が給紙トレイ２２よりも上側に（言い換えれば給紙トレイ２２が排紙トレイ２３よりも下側に）設けられ、下方の給紙トレイ２２から上記搬送経路２６を経て上方の排紙トレイ２３へと原稿ＭＳが搬送される構造を備えている。したがって、給紙トレイ２２にセットされた原稿ＭＳは、分離ローラ３１等による搬送方向上流側（給紙トレイ２２からＡＤＦ本体２７に引き込まれるとき）では、給紙方向（搬送方向の一例）である左方向に搬送され、分離ローラ３１等による搬送方向下流側（ＡＤＦ本体２７から排紙トレイ２３に排出されるとき）では、排紙方向（搬送方向の一例）である右方向に搬送される。
【００５１】
また、ＡＤＦ本体２７から排出された原稿ＭＳは、その前端部及び後端部が排紙トレイ２３に担持されることによって、給紙トレイ２２上の原稿ＭＳと分離した状態で保持される。なお、排紙トレイ２３は、この例では、その左右方向の寸法が原稿ＭＳの左右方向の寸法よりも短くなっており、ＡＤＦ本体２７から排出された原稿ＭＳの排紙方向である右方向の先端部、すなわち右端部は、当該排紙トレイ２３から垂れ下がるようにして、給紙トレイ２２上に保持される。したがって、給紙トレイ２２上の原稿ＭＳの給紙方向である左方向の後端部分、すなわち右端部分の上に、排紙トレイ２３から垂れ下がった原稿ＭＳの右端部分が重なることとなる。しかしながら、給紙トレイ２２上の原稿ＭＳの左端部分と、排紙トレイ２３上の原稿ＭＳの左端部分とが、当該給紙トレイ２２及び排紙トレイ２３により上下２段に保持されているので、これらの原稿ＭＳが混同することはない。また、排紙トレイ２３を短くすることにより、原稿押さえカバー６上に必要な空間を小さくして、複合機１を薄型かつ小型にすることができる。
【００５２】
ローラリフター１５は、図３乃至図８に示すように、上記給紙トレイ２２の、上記サイドガイド２４よりも左側（搬送方向下流側に相当）において、当該給紙トレイ２２の後端部から前方側へ向かって前後方向に沿って延設されている。このローラリフター１５は、上記ベース部１２、凹部１３、及び凸部１４を介したトレイユニット１０の引き出し動作に連動して、上記揺動部材７４の先端部７４Ａに接触し、当該揺動部材７４に取り付けられている上記分離ローラ３１を上下動するように案内する。これは、トレイユニット１０をＡＤＦ本体２７から引き出す際、分離ローラ３１が給紙トレイ２２の一部（又は給紙トレイ２２にセットされている原稿ＭＳ）と接触して、引き出しの妨げになる可能性があり、これを回避可能とするためである。
【００５３】
具体的には、図１に示すような、トレイユニット１０がＡＤＦ本体２７から引き出されていない状態（言い換えればＡＤＦ本体２７に押し込まれている状態）では、ローラリフター１５は、揺動部材７４の先端部７４Ａに接触しない、言い換えれば先端部７４Ａを当該ローラリフター１５の上に乗り上げさせないことにより、分離ローラ３１を通常位置（図３及び図５に示す分離ローラ３１の位置）とする。そして、トレイユニット１０がＡＤＦ本体２７から引き出されていき（言い換えればトイレユニット１０の引き出し動作に連動して）、所定量引き出された状態となった場合に、ローラリフター１５は、後下側から上記先端部７４Ａに接触し、先端部７４を当該ローラリフター１５の上に乗り上げさせることにより、分離ローラ３１を上記通常位置から一定量だけ高い位置である上昇位置（図４及び図６に示す分離ローラ３１の位置）に上昇させる。その後、トレイユニット１０がＡＤＦ本体２７から少なくとも最大に引き出された状態となるまで、この例ではＡＤＦ本体２７から一定量（ローラリフター１５の最後部が分離ローラ３１よりも前方側に至るまでの量）引き出された状態となるまでは、ローラリフター１５は、先端部７４を当該ローラリフター１５の上に乗り上げさせておくことにより、分離ローラ３１を上記上昇位置とする。そして、トレイユニット１０がＡＤＦ本体２７からさらに引き出されていき、上記一定量以上引き出された状態となった場合に、ローラリフター１５は、上記先端部７４Ａとの接触を解除する、言い換えれば先端部７４を当該ローラリフター１５の上から降ろすことにより、分離ローラ３１を上記通常位置に復帰させる。すなわち、ローラリフター１５は、トレイユニット１０の引き出し動作に連動して、分離ローラ３１を上昇可能な、各請求項記載の上昇手段に相当する。
【００５４】
一対のフロントガイド１６は、図２、図３、及び図６乃至図８に示すように、トレイユニット１０の上記凸部１４に配設されている。このフロントガイド１６は、上記給紙トレイ２２にセットされた原稿ＭＳの左端部（搬送方向の先端部に相当）を位置決め可能に構成されるとともに、上記位置決め機能を果たす起立した姿勢である第１姿勢（図８に示すフロントガイド１６の姿勢）と上記位置決め機能を果たさない前方側に転倒した姿勢である第２姿勢（図３及び図７に示すフロントガイド１６の姿勢）とに俯仰動可能に構成されている。そして、このフロントガイド１６は、その回転軸１６Ａが軸支持部１７Ａ，１７Ｂにより所定の軸心ＡＸ１周りに回動可能に軸支されると共に、図示しないバネ（以下適宜、「フロントガイド用バネ」と称する）により、上記第１姿勢となる向きである上方へ弾性付勢されている。なお、図７及び図８においては、一対のフロントガイド１６のうち、後方側に配設されたフロントガイド１６及びその近傍の軸支持部１７Ａ，１７Ｂ等については、符号を省略して図示している。
【００５５】
フロントガイド用バネは、上記フロントガイド１６に対し、上方への付勢力を作用させるバネである。
【００５６】
また、ＡＤＦ本体２７には、図２乃至図４に示すように、トレイユニット１０の上記凸部１４の左面１４ａと左右方向に対向する位置に、ユニット進入部材としての爪部材７５が、前後方向に沿って延設されている。この爪部材７５は、上記凸部１４の左面１４ａ側に形成されたスリット７３内に進入して、上記フロントガイド１６を上記第２姿勢とする。
【００５７】
具体的には、図１に示すような、トレイユニット１０がＡＤＦ本体２７から引き出されていない状態では、爪部材７５は、上記スリット７３内に進入して、上記フロントガイド用バネによる上方への付勢力に打ち勝つ押圧力をフロントガイド１６に作用させ、言い換えれば前方側へ向かってフロントガイド１６を押圧して、フロンドガイド１６を前方へ転倒させることにより、当該フロントガイド１６を上記第２姿勢とする（図３及び図７を参照）。その後、トレイユニット１０がＡＤＦ本体２７から引き出されていき、トレイユニット１０がＡＤＦ本体２７から少なくとも最大に引き出された状態となるまで、この例ではＡＤＦ本体２７から一定量（フロントガイド１６が爪部材７５の前端部よりも前方側に至るまでの量）引き出された状態となるまでは、爪部材７５は、その下面によりフロントガイド１６を押圧して、フロントガイド１６を転倒させておく（言い換えれば起立させないでおく）ことにより、当該フロントガイド１６を上記第２姿勢とする。そして、トレイユニット１０がＡＤＦ本体２７からさらに引き出されていき、上記一定量以上引き出された状態となった場合に、爪部材７５は、上記スリット７３から離脱して、上記押圧力の作用を消失させ、フロンドガイド１６を起立させることにより、当該フロントガイド１６を上記第１姿勢とする（図２、図６、及び図８を参照）。すなわち、爪部材７５、スリット７３、及びフロントガイド用バネは、各請求項記載の、ガイド駆動手段に相当すると共に、上記引き出し機構の一部にも相当する。
【００５８】
本実施形態によれば、次のような効果を得ることができる。すなわち、ユーザによっては、分離ローラ３１等による原稿ＭＳの搬送方向（具体的には給紙方向）である左方向に沿った寸法が小さい狭いスペースに複合機１を置いて使用する場合があり得る。この場合、複合機１の左右が壁等によって囲まれているため、当該左方向に沿って原稿ＭＳを給紙トレイ２２へセットすることは難しい。そこで、特に本実施形態では、給紙トレイ２２を備えたトレイユニット１０を、ＡＤＦ本体２７から左方向と交差する方向（上記の例では前後方向）に引き出し可能に構成する。これにより、原稿ＭＳをセットするときには、ユーザは、トレイユニット１０をＡＤＦ本体２７から引き出し方向手前側（上記の例では前方側）に引き出すことで、トレイユニット１０の給紙トレイ２２に原稿ＭＳを容易にセットすることができる。このようにして給紙トレイ２２に原稿ＭＳをセットした後は、ユーザが給紙トレイ２２を逆方向にＡＤＦ本体２７へと押し戻し、もとの位置に復帰させる。これにより、上記のＡＤＦ本体２７による搬送、及び、ＣＩＳユニットによる画像読取が実行される。
【００５９】
したがって、上記のような狭いスペースに複合機１が置かれている状況であっても、ユーザは、当該狭いスペースから複合機１全体を取り出すことなく良好な作業性で原稿ＭＳをセットし、利用することができる。
【００６０】
また、本実施形態では特に、トレイユニット１０は、前方側に、ユーザが把持可能な取手１１を備えている。これにより、給紙トレイ２２を備えたトレイユニット１０の引き出し作業が行いやすくなる。
【００６１】
また、本実施形態では特に、複合機１のスキャナ部２は、給紙トレイ２２が排紙トレイ２３よりも下側に設けられ、下方の給紙トレイ２２から上記搬送経路２６を経て上方の排紙トレイ２３へと原稿ＭＳが搬送される構造を備えている。このような場合、複合機１が上記のような狭いスペースに配置されると、特に原稿ＭＳの給紙トレイ２２へのセットが困難である。したがって、このような構造において、上記引き出し可能なトレイユニット１０を設けることが特に効果的である。
【００６２】
また、本実施形態では特に、トレイユニット１０を前後方向に沿って引き出し可能とするために、ベース部１２と、このベース部１２に設けられた凹部１３と、この凹部１３に係合するトレイユニット１０の凸部１４とを有している。これにより、ベース部１２の凹部１３とトレイユニット１０の凸部１４との係合を利用して、簡易な構造で引き出し機構を実現することができ、ＡＤＦ本体２７からのトレイユニット１０の引き出し動作を円滑に実行することができる。
【００６３】
また、本実施形態では特に、上記ベース部１２、凹部１３、及び凸部１４を介したトレイユニット１０の引き出し動作に連動させて、ローラリフター１５が分離ローラ３１を上昇させる。これにより、引き出し動作時の上記分離ローラ３１との接触を回避可能となるので、トレイユニット１０をスムーズに引き出すことができる。
【００６４】
また、本実施形態では特に、ローラリフター１５は、トレイユニット１０が引き出されない状態では、分離ローラ３１を上記通常位置とし（図３及び図５を参照）、トレイユニット１０が所定量引き出された状態では、分離ローラ３１を上記上昇位置に上昇させ（図４及び図６を参照）、その後、トレイユニット１０が一定量以上引き出された状態では、分離ローラ３１を上記通常位置に復帰させるように、構成されている。これにより、引き出し動作の途中での分離ローラ３１と給紙トレイ２２との接触の可能性があるときのみ、最小限、分離ローラ３１を上昇させることができる。
【００６５】
また、本実施形態では特に、ローラリフター１５は、給紙トレイ２２のサイドガイド２４よりも左方側において前後方向に沿って延設され、上記揺動部材７４の先端部７４Ａに接触し分離ローラ３１を上下動するように案内するリブである。このようなリブを設けるという簡易な構成により、分離ローラ３１を確実に上下動させ、給紙トレイ２２との接触を回避することができる。
【００６６】
また、本実施形態では特に、トレイユニット１０にフロントガイド１６を設けている。これにより、トレイユニット１０を引き出して給紙トレイ２２に原稿ＭＳをセットする際、そのセットされた原稿ＭＳの左端部を位置決めすることができる。但し、このようにしてトレイユニット１０にフロントガイド１６を設けると、分離ローラ３１等による原稿ＭＳの搬送の際、フロントガイド１６が原稿ＭＳの搬送の妨げになる可能性がある。そこで本実施形態では特に、フロントガイド１６を俯仰動可能に構成する。そして、上記ベース部１２、凹部１３、及び凸部１４に設けた爪部材７５、スリット７３、及びフロントガイド用バネにより、トレイユニット１０が引き出されない状態では、フロントガイド１６を上記第２姿勢として位置決め機能を果たさない状態とし（図７を参照）、上記原稿ＭＳの搬送の妨げとなることの防止を図る。そして、トレイユニット１０の引き出し動作に連動しつつ、トレイユニット１０が最大に引き出された状態では、フロントガイド１６を上記第１姿勢として（図８を参照）、位置決め機能を実行させる。
【００６７】
以上のようにして、引き出されない状態時の原稿ＭＳの搬送の妨げとなることを回避しつつ、トレイユニット１０の引き出し状態でフロントガイド１６による原稿ＭＳの位置決めを確実に実行することができる。また特に、上記ベース部１２、凹部１３、及び凸部１４が爪部材７５、スリット７３、及びフロントガイド用バネを備えていることにより、トレイユニット１０が引き出されない状態では、トレイユニット１０のスリット７３に爪部材７５が進入して強い押圧力を作用させてフロントガイド１６を上記第２姿勢とし、上記原稿ＭＳの搬送の妨げとなることの防止を確実に図ることができる。そして、トレイユニット１０が最大に引き出された状態では、爪部材７５がトレイユニット１０のスリット７３から離脱してフロントガイド１６をフロントガイド用バネの付勢力により上記第１姿勢に復帰させ、位置決め機能を確実に実行させることができる。
【００６８】
なお、以上においては、トレイユニット１０の引き出し方向、すなわち交差方向を、前後方向としていたが、これに限られない。すなわち、交差方向は、分離ローラ３１等による原稿ＭＳの搬送方向（具体的には給紙方向である左方向）と交差する方向であればよく、例えば斜め前後方向でもよい。
【００６９】
また、以上においては、ベース部１２側に凹部１３を設け、トレイユニット１０側に凸部１４を設けて、これら凹部１３及び凸部１４が係合することにより、トレイユニット１０の引き出し動作を許容していたが、これに限られない。すなわち、ベース部１２側に凸部（ベース側凸部に相当）を設け、トレイユニット１０側に凹部（ユニット側凹部に相当）を設けて、これら凸部及び凹部が係合することにより、トレイユニット１０の引き出し動作を許容するようにしてもよい。この場合には、ベース部１２、このベース部１２の凸部、及びトレイユニット１０の凹部が、各請求項記載の引き出し機構に相当する。
【００７０】
また、以上においては、給紙トレイ２２、サイドガイド２４、及び排紙トレイ２３等を備えたトレイユニット１０が、ＡＤＦ本体２７から引き出し可能に構成されていたが、これに限られない。すなわち、少なくとも給紙トレイが、ＡＤＦ本体から引き出し可能に構成されていればよい。
【００７１】
また、以上においては、本発明に係る画像読取装置が、スキャナ機能、プリンタ機能、及びファクシミリ機能の３つの機能を一体的に備えた複合機１のスキャナ部２として実現されているが、プリンタ機能やファクシミリ機能は本発明において任意の機構であり、例えば、スキャン機能のみのスキャナ単体として本発明に係る画像読取装置を実現してもよい。
【００７２】
また、以上既に述べた以外にも、上記実施形態や各変形例による手法を適宜組み合わせて利用しても良い。
【００７３】
その他、一々例示はしないが、本発明は、その趣旨を逸脱しない範囲内において、種々の変更が加えられて実施されるものである。
【符号の説明】
【００７４】
１                複合機
２                スキャナ部（画像読取装置）
５                ＡＤＦ（原稿搬送部）
２７              ＡＤＦ本体（原稿搬送部本体）
１０              トレイユニット
１１              取手
１２              ベース部
１３              凹部（ベース側凹部）
１４              凸部（ユニット側凸部）
１５              ローラリフター（リブ、上昇手段）
１６              フロントガイド（先端ガイド）
２２              給紙トレイ
２３              排紙トレイ
２４              サイドガイド
２６              搬送経路
３１              分離ローラ（搬送ローラ）
７３              スリット
７４              揺動部材（搬送ローラの支持部材）
７５              爪部材（ユニット進入部材）
ＭＳ              原稿
【図１】
2012074831.tif 000003
【図２】
2012074831.tif 000004
【図３】
2012074831.tif 000005
【図４】
2012074831.tif 000006
【図５】
2012074831.tif 000007
【図６】
2012074831.tif 000008
【図７】
2012074831.tif 000009
【図８】
2012074831.tif 000010